(57)【要約】      （修正有）【課題】保温バッグの加熱装置を提供する。【解決手段】保温バッグの加熱装置は主に外桶１の中央に貫通した容置空間１１を設置し、加熱桶２は外桶１の容置空間１１の内部底側に設置し、上面が開口した中空導温容器は加熱を待つ保温バッグを入れることができる。加熱装置４は加熱桶２の周縁に密着設置、通電後は加熱桶２を直接加熱可能で、加熱装置４は温度制御器４１及び温度ヒューズ４２を直接直列接続することができる他に、制御回路板５１を経てタイマー５５、ブザー５４、制御スイッチ５２、複数のインジケーター５３を接続することができる。制御スイッチを利用し加熱装置のオン／オフを制御可能で、インジケーター及びブザーは異なる加熱状態において光線或いは音声の警告表示を行い、タイマーは加熱装置４の通電時間及び長短を制御することができる。金属箔片３は加熱装置４の外周縁を包覆し、加熱装置４の定位及び導熱拡散の機能及び効果を形成する。【選択図】図１
0003134805.tif 000002
【実用新案登録請求の範囲】
【請求項１】
主に、外桶、加熱桶、加熱装置、金属箔片を含み、
前記外桶は絶縁絶熱の容器で、その中央には貫通した容置空間を設置し、
前記加熱桶は上面開口の中空導温容器で、前記外桶の容置空間の内部底側に設置可能で、
前記加熱装置は前記加熱桶の周縁に密着設置し、通電後は前記加熱桶を直接加熱可能で、前記加熱装置の端部には温度制御器及び温度ヒューズを直接接続し、異なる温度時にそれぞれ電源供給を切断することができ、
前記金属箔片は前記加熱装置の外周縁を包覆することを特徴とする保温バッグの加熱装置。
【請求項２】
前記加熱装置は、電熱線で、かつ前記加熱桶の周縁には前記電熱線を巻設可能な複数の線槽を設置することを特徴とする請求項１記載の保温バッグの加熱装置。
【請求項３】
前記加熱装置は、制御回路板を接続し、前記制御回路板により制御スイッチ及び複数のインジケーターを結合し、前記制御スイッチにより加熱装置のオン或いはオフを制御可能で、前記インジケーターは、加熱装置の各種状態を表示することを特徴とする請求項１記載の保温バッグの加熱装置。
【請求項４】
前記制御回路板は、別にタイマーを結合し、前記加熱装置の通電時間及び長短を制御することを特徴とする請求項３記載の保温バッグの加熱装置。
【請求項５】
前記制御回路板は、別にブザーを結合し、前記加熱装置の各種状態に応じて異なる警報音声を発することを特徴とする請求項３記載の保温バッグの加熱装置。
【請求項６】
前記外桶の内側中間部分には内環フランジを設置し、底台により前記外桶の底部において蓋合し、こうして前記加熱桶を上下に定位可能であることを特徴とする請求項３記載の保温バッグの加熱装置。
【請求項７】
前記金属箔片はアルミニウム箔片であることを特徴とする請求項１記載の保温バッグの加熱装置。
【請求項８】
前記温度制御器はボタン式温度制御器であることを特徴とする請求項１記載の保温バッグの加熱装置。
【請求項９】
前記温度制御器はダイヤル式温度制御器であることを特徴とする請求項１記載の保温バッグの加熱装置。
【考案の詳細な説明】
【技術分野】
【０００１】
本考案は、一種の保温バッグの加熱装置に関し、特に一種の使用が便利でしかも安全で、効率の高い加熱装置である保温バッグの加熱装置に係る。
【背景技術】
【０００２】
寒冷な冬季或いは比較的涼しい地区では、保温バッグを適当に使用し、体温を失わないようにする他、身体の快適性を増進する。特に老人、病人或いは抵抗力が劣る人にとっては必須の日常保健用品である。
【０００３】
公知の保温バッグ装置の内、簡易なものは、軟質導温の袋体表面に少なくとも１個の封鎖可能な注入口を設置する。使用時には、必要に応じて該注入口から熱水或いは冰水を袋体内に注入し、該袋体の導温を備える特性を利用し、その周囲の環境温度を変化させ、人体を快適にする基本機能を達成する。
【０００４】
しかし、上記のような伝統的構造には応用上の欠点が存する。すなわちそれは、使用の度に袋体内の残留物（水液）を放出し、新たに必要とする熱水或いは冰水を注入する必要があり、これでは使用上極めて不便である。
【０００５】
また、軟質の導温かつ封鎖可能な袋体内に導温液（塩水）を予め容置し、適当な加熱機構を設置するものもある。使用時には、該加熱機構に通電し、該袋体内の導温液を直接加熱し、これにより一定温度まで上昇させ、温シップ或いは保温の必要のある場合に応用する。しかし、この種の構造は加熱機構と導温液を封鎖した袋体内部に同時に設置するため、使用上の安全性（袋体は導温液が熱を受け膨脹し破裂し易く、加熱機構の漏電という問題もある）の確保が難しく、しかも該導温液の腐食性も該加熱機構の正常な使用寿命に悪影響を及ぼす。
【考案の開示】
【考案が解決しようとする課題】
【０００６】
公知の各種保温バッグ装置の応用時に存する上記の欠点に鑑み、本考案人は該各欠点に対して改善の道を研究し、ついに本考案を開発した。
【課題を解決するための手段】
【０００７】
上記課題を解決するため、本考案は下記の保温バッグの加熱装置を提供する。
【０００８】
本考案の主要な目的は保温バッグの加熱装置を提供し、簡便な保温バッグの使用形態を提供し、使用上の利便性を備え、
本考案の次なる目的は保温バッグの加熱装置を提供し、加熱機構の故障が引き起こす危険な状況を効果的に回避可能で、使用上の安全性を確保し、
すなわち本考案が採用する技術手段は外桶、加熱桶、加熱装置、金属箔片を含み、
前記外桶は中央に貫通した容置空間を設置し、
前記加熱桶は上面開口の中空導温容器で、前記外桶の容置空間の内部底側に設置可能で、
前記加熱装置は前記加熱桶周縁に密着設置し、通電後は前記加熱桶を直接加熱可能で、前記加熱装置の端部には温度制御器及び温度ヒューズを直接接続し、異なる温度時にそれぞれ電源供給を切断することができ、
前記金属箔片は前記加熱装置の外周縁を包覆する保温バッグの加熱装置を提供する。
【考案の効果】
【０００９】
上記のように、本考案保温バッグの加熱装置は使用が便利でしかも安全で、効率が高いという機能と効果を確実に備え、産業上の利用性、新規性及び進歩性を備える。
【考案を実施するための最良の形態】
【００１０】
本考案の詳細な構造、応用原理、作用と機能及び効果について、以下に図を用い説明する。
【００１１】
本考案第一実施例の構造分解図である図１に加え、全体組合せ外観図及び組合せ断面図である図２、３に示すように、本考案第実施例の構造は主に外桶１、加熱桶２、金属箔片３及び加熱装置４等部分を含む。
【００１２】
外桶１は絶縁絶熱の容器で、その中央には上下に貫通した容置空間１１を設置し、かつ容置空間１１の中間部分には内環フランジ１２を下向きに拡張延伸し形成し、外桶１の底側周縁には第一貫通開口１３及び二貫通開口１４を設置する。
【００１３】
加熱桶２は上面開口の中空導温容器で、外桶１の容置空間１１の内部底側に設置し、内環フランジ１２により加熱桶２の上面周縁において停止する。
【００１４】
加熱装置４は電熱線或いは他の通電により発熱可能な関連装置で、加熱桶２の周縁に巻設（密着設置）可能で、通電後は加熱桶２を直接加熱可能である。加熱装置４の端部には温度制御器（ダイヤル式温度制御器或いはボタン式温度制御器）４１及び温度ヒューズ４２を直列接続可能である。
【００１５】
金属箔片３は加熱装置４の外周縁を包覆し、金属箔片３は加熱装置４の定位及び導熱拡散の機能及び効果を備える。
【００１６】
底台５は外桶１の底部に蓋合し、内環フランジ１２に対応し加熱桶２を固定することができる。外桶５の内には制御回路板５１を結合可能で、制御回路板５１を利用し、制御スイッチ５２（外桶１の第一貫通開口１３の内に嵌設し、外部に露出する）、インジケーター５３、ブザー５４、タイマー５５（外桶１の第二貫通開口１４の内に嵌設し、外部に露出する）を接続する。
【００１７】
使用時には、加熱を待つ保温バッグ６を加熱桶２の内に入れ、制御スイッチ５２を利用し加熱装置４のオン／オフを制御する。タイマー５５は加熱装置４の通電時間及び長短を制御可能で、インジケーター５３、ブザー５４は異なる加熱状態に応じて光線或いは音声を発し、使用者に注意を促す。
【００１８】
例えば、温度制御器４１は加熱装置４の周囲の温度が設定の電源切断温度に達したことを探知すると、加熱装置４への電源供給を直接切断し、インジケーター５３、ブザー５４は同時に（或いはそれぞれ）光線或いは音声の変化を生じ、使用者に伝える。
【００１９】
もし温度制御器４１が故障し即時に電源切断がなされない場合には、加熱装置４は加熱を継続し、周囲の温度は上昇を続ける。この時、温度ヒューズ４２は別のより高い温度において電源供給を永久的に切断し、使用上の安全を確保することができる。
【００２０】
本考案第二実施例の構造分解図及びその組合せ断面図である図４、５に示すように、本考案第二実施例の構造は主に前記第一実施例の構造を基礎とし、主要な差異は、該加熱桶２０周縁に複数の相互に連接する線槽２１を環状に設置し、該加熱装置（電熱線）４をその中に巻設し、最適な定位効果を形成することだけである。
【図面の簡単な説明】
【００２１】
【図１】本考案第一実施例の構造分解図である。
【図２】本考案第一実施例の全体組合せ外観図である。
【図３】本考案第一実施例の組合せ断面図である。
【図４】本考案第二実施例の構造分解図である。
【図５】本考案第二実施例の組合せ断面図である。
【符号の説明】
【００２２】
１  外桶
１１  容置空間
１２  内環フランジ
１３  第一貫通開口
１４  第二貫通開口
２、２０  加熱桶
２１  線槽
３  金属箔片
４  加熱装置
４１  温度制御器
４２  温度ヒューズ
５  底台
５１  制御回路板
５２  制御スイッチ
５３  インジケーター
５４  ブザー
５５  タイマー
６  加熱を待つ保温バッグ
【図１】
0003134805.tif 000003
【図２】
0003134805.tif 000004
【図３】
0003134805.tif 000005
【図４】
0003134805.tif 000006
【図５】
0003134805.tif 000007